(57)【要約】【課題】サテライト基地におけるＬＮＧ（液化天然ガス）を容易に貯溜することで、サテライト基地の設置費用と運営費用を低減し、そのサテライト基地におけるＬＮＧを容易かつ迅速に補給する。【解決手段】出荷基地１に備えたＬＮＧタンク２に貯蔵されたＬＮＧをトレーラー型のバルク容器３に移す手段と、バルク容器３を、複数の需要家９、生産設備１０にガスを供給するサテライト基地４に搬送する搬送手段と、バルク容器３をサテライト基地４に設置する一時設置手段と、サテライト基地４に一時設置されたバルク容器３からＬＮＧを取り出す手段と、を備えた。【選択図】    図１
2005048789.tif 000002
【特許請求の範囲】
【請求項１】
出荷基地（１）に備えたＬＮＧタンク（２）に貯蔵されたＬＮＧをトレーラー型のバルク容器（３）に移す手段と、
前記バルク容器（３）を、複数の需要家（９）、生産設備（１０）にガスを供給するサテライト基地（４）に搬送する搬送手段と、
前記バルク容器（３）を前記サテライト基地（４）に設置する一時設置手段と、
前記サテライト基地（４）に一時設置されたバルク容器（３）からＬＮＧを取り出す手段と、
を備えた、ことを特徴とするバルク容器を用いたＬＮＧ供給システム。
【請求項２】
前記出荷基地（１）と前記サテライト基地（４）との途中に位置する中継基地（１３）に、前記バルク容器（３）を待機させる待機手段を更に備えた、ことを特徴とする請求項１のバルク容器を用いたＬＮＧ供給システム。
【請求項３】
前記一時設置手段は、前記搬送手段から切り離したバルク容器（３）を車輪（５）と支持台（７）で固定する、ことを特徴とする請求項１のバルク容器を用いたＬＮＧ供給システム。
【請求項４】
前記取り出し手段に接続され、ＬＮＧをガスに変換する手段を更に備えた、ことを特徴とする請求項１のバルク容器を用いたＬＮＧ供給システム。
【請求項５】
前記ＬＮＧを変換したガスを、ガス管（１１）を介して各需要家（９）、生産設備（１０）に供給する、ことを特徴とする請求項４のバルク容器を用いたＬＮＧ供給システム。
【請求項６】
前記生産設備（１０）は、前記ＬＮＧを変換したガスを燃料として熱併給発電を行うコ・ジェネレーションシステム（１２）である、ことを特徴とする請求項５のバルク容器を用いたＬＮＧ供給システム。
【発明の詳細な説明】
【０００１】
【発明の属する技術分野】
本発明は、ＬＮＧ（液化天然ガス）を搬送し、供給する技術に係り、特にＬＮＧを搬送するときに用いるバルク容器をそのままサテライト基地のタンクとして使用するバルク容器を用いたＬＮＧ供給システムに関するものである。
【０００２】
【従来の技術】
ＬＮＧは、地中より発生するメタンガスを主成分とする可燃性ガスである天然ガスを−１６２℃に冷却して液化したガスである。この液化する際に、除塵、脱硫、脱酸素、脱湿などの前処理を行い、硫黄などの不純物を除去しているので、クリーンなエネルギーとして注目されている。このＬＮＧは、世界に広く分布し、長期に安定した供給が可能な原料である。
【０００３】
ＬＮＧは、図４に示すように、世界の産出国から各需要家、生産設備等に供給するようになっている。ＬＮＧは外国の積出基地からタンカー等を介して、例えば、日本の各港における出荷基地５１まで搬送される。出荷基地５１まで搬送されたＬＮＧはこの出荷基地５１の製造所で精製され、鉄道又は自動車による輸送容器（コンテナ）としてタンクローリー車５２でサテライト基地５３へ搬送されている。ＬＮＧは−１６２℃の超低温であるために、断熱構造を有する特殊なタンクローリー車５２で運搬する。
【０００４】
都市ガス配管のない地域等へガスを供給するためのサテライト基地５３においては、ＬＮＧの貯蔵は、超低温に維持できるＬＮＧタンク５４を利用する。図５に示すように、ＬＮＧタンクローリー車５２からＬＮＧタンク５４に移し替え、このサテライト基地５３において、ＬＮＧをＬＮＧ気化器５５を用いて、ガス化して各需要家５６や生産設備５７へ供給するようになっている。
【０００５】
【特許文献１】
なお、ＬＮＧの供給システムに関する先行技術としては、特許文献１の特開２００２−５４７９６公報に示すように、サテライト基地に配設され、液化天然ガスを受入れ、受入れた液化天然ガスを天然ガスとして払い出して需要家や生産設備に供給する技術が提案されている。
【０００６】
【発明が解決しようとする課題】
しかし、従来のタンクローリー車５２でＬＮＧを搬送し、サテライト基地５３においてＬＮＧタンク５４へ移し替える際には、タンクローリー車５２のタンクに供給する加圧ガスのガス圧を、ＬＮＧタンク５４に供給する加圧ガスのガス圧よりも高圧になるように制御しつつ、このタンクローリー車５２からＬＮＧを移し替える必要があるために、その手間と時間がかかるという問題を有していた。
【０００７】
また、各サテライト基地５３におけるＬＮＧタンク５４の建設には多大な費用と時間を要するものであった。そこで、ある程度の軒数の需要家及び生産設備の消費量が所定値を超えないと採算がとれないために、サテライト基地５３の設置が制限されていた。その結果、住宅又は生産設備が広範囲に点在しているような地域においては、このようなＬＮＧのサテライト基地５３の設置が困難であるという問題を有していた。
なお、サテライト基地５３から長尺の配管を敷設して複数の需要家５６及び生産設備５７へ供給することも可能であるが、その配管工事に多大な費用を要するものであった。
【０００８】
本発明は、かかる問題点を解決するために創案されたものである。すなわち、本発明の目的は、サテライト基地におけるＬＮＧを容易に貯溜することで、サテライト基地の設置費用と運営費用を低減することができ、しかもサテライト基地におけるＬＮＧを容易かつ迅速に補給することができるバルク容器を用いたＬＮＧ供給システムを提供することにある。
【０００９】
【課題を解決するための手段】
本発明によれば、出荷基地（１）に備えたＬＮＧタンク（２）に貯蔵されたＬＮＧをトレーラー型のバルク容器（３）に移す手段と、前記バルク容器（３）を、複数の需要家（９）、生産設備（１０）にガスを供給するサテライト基地（４）に搬送する搬送手段と、前記バルク容器（３）を前記サテライト基地（４）に設置する一時設置手段と、前記サテライト基地（４）に一時設置されたバルク容器（３）からＬＮＧを取り出す手段と、を備えた、ことを特徴とするバルク容器を用いたＬＮＧ供給システムが提供される。
【００１０】
前記一時設置手段は、前記搬送手段から切り離したバルク容器（３）を車輪（５）と支持台（７）で固定するものである。前記取り出し手段に接続され、ＬＮＧをガスに変換する手段を更に備えることが好ましい。また、前記ＬＮＧを変換したガスを、ガス管（１１）を介して各需要家（９）、生産設備（１０）に供給する。
【００１１】
上記構成の発明では、出荷基地（１）まで搬送されたＬＮＧについて、この出荷基地（１）の製造所において精製した後、ＬＮＧタンク（２）に貯蔵し、このＬＮＧタンク（２）からトレーラー型のバルク容器（３）に移す。このバルク容器（３）はトレーラー（６）でサテライト基地（４）へ搬送する。このサテライト基地（４）では、ＬＮＧを充填したバルク容器（３）をトレーラー（６）から切り離し、ＬＮＧ気化器（８）等に接続する。一方、このバルク容器（３）を切り離したトレーラー（６）は、空になったバルク容器（３）又は貯残量が極端に低くなったバルク容器（３）を牽引して出荷基地（１）まで搬送し、ここで新たにＬＮＧを充填し、次のサテライト基地（４）へ搬送するまで待機する。
【００１２】
サテライト基地（４）に一時設置されたバルク容器（３）からＬＮＧ気化器（８）を用いてＬＮＧをガス化し、各需要家（９）や生産設備（１０）へ供給するようになっている。特に、従来のようにサテライト基地（４）に建設していたＬＮＧの貯蔵用のＬＮＧタンク（５４）が不要になるので、ＬＮＧの移し代えに要する作業時間を回避することができる。
【００１３】
また、前記出荷基地（１）と前記サテライト基地（４）との途中に位置する中継基地（１３）に、前記バルク容器（３）を待機させる待機手段を更に備えることも可能である。
【００１４】
サテライト基地（４）が出荷基地（１）から遠隔の地にあるときは、ＬＮＧを充填した複数のバルク容器（３）を待機させるＬＮＧ中継基地（１３）を設置することで、トレーラー（６）の走行距離を短縮して、バルク容器（３）を迅速にサテライト基地（４）へ搬送することができる。これにより、サテライト基地（４）に一時設置されたバルク容器（３）の貯残量が極端に低くなり、その交換に緊急を要するときに迅速に新たなバルク容器（４）に交換でき、ガス供給が停止するという不具合を回避することができる。
【００１５】
【発明の実施の形態】
以下、本発明の好ましい実施の形態を図面を参照して説明する。
図１は本発明のバルク容器を用いたＬＮＧ供給システムの実施の形態を示すブロック図である。図２はサテライト基地における系統図である。
本発明のバルク容器を用いたＬＮＧ供給システムは、出荷基地１に備えたＬＮＧタンク２に貯蔵されたＬＮＧをトレーラー型のバルク容器３に移し、このバルク容器３をサテライト基地４に搬送し、バルク容器３をサテライト基地４に一時設置し、サテライト基地４に一時設置されたバルク容器３からＬＮＧをガス化して、複数の需要家９、生産設備１０にガスを供給するシステムである。
【００１６】
ＬＮＧは、世界の産出国の積出基地からタンカー等を介して出荷基地１まで搬送され、この製造所において、除塵、脱硫、脱酸素、脱湿などの前処理を行い、硫黄などの不純物を除去した液化ガスに精製される。このＬＮＧは、出荷基地１に備えられたＬＮＧタンク２に貯蔵し、このＬＮＧをトレーラー型のバルク容器３に移す。
【００１７】
トレーラー型のバルク容器３をサテライト基地４に搬送するときは、このバルク容器３自体に車輪５を具備し、トレーラー６で牽引して出荷基地１とサテライト基地４間を搬送するようになっている。このバルク容器３は、構造的には従来のタンクローリー車のタンク部分の構造と同様で、超低温のＬＮＧを貯蔵できる構造になっている。
【００１８】
本発明では、従来のタンクローリー車に代えて、バルク容器３をそのまま各サテライト基地４に一時設置する。この一時設置されるバルク容器３が従来の各サテライト基地４に建設されていたＬＮＧタンクを兼用するものである。これにより、従来各サテライト基地４にＬＮＧタンクを建設する必要がなくなり、サテライト基地４の設備及び運転費用を低減することができる。
【００１９】
バルク容器３をサテライト基地４に一時設置するときは、単純にトレーラー６からバルク容器３を切り離し、このバルク容器３の車輪５と支持台７を用いてサテライト基地４に固定するようになっている（図２参照）。このバルク容器３は、サテライト基地４におけるＬＮＧ気化器８等の各需要家９や生産設備１０をガスを供給するために必要な設備に着脱自在に接続し、不用意にそれらの接続が外れないように固定する必要がある。この接続に要する時間は、各需要家９や生産設備１０へのガス供給に支障が生じない程度の短時間にすることができる。
【００２０】
サテライト基地４に置いてきたバルク容器３は、そのＬＮＧをＬＮＧ気化器８を用いて、ガス化してガス管１１を介して各需要家９や生産設備１０へ供給するようになっている。
【００２１】
サテライト基地４のバルク容器３内のＬＮＧを各需要家９や生産設備１０が消費してバルク容器３内のＬＮＧの貯残量が極端に低くなったときは、その情報を出荷基地１へ連絡し、ＬＮＧを充填した新たなバルク容器３をトレーラー６で搬送し、交換する。サテライト基地４に到着したトレーラー６は、バルク容器３を切り離し、上述したＬＮＧ気化器８に接続して、新たなバルク容器３の交換作業を完了する。
【００２２】
このように、本発明では各サテライト基地に貯蔵用のＬＮＧタンクを設置していないので、従来のようなＬＮＧの移し代えに要する作業時間を回避することができる。サテライト基地４におけるバルク容器３内のＬＮＧが完全に消費される前に、次のバルク容器４に交換することにより、上述したように短時間で交換作業を終了でき、ガス供給の停止を回避するようになっている。なお、需要家９又は生産設備１０の消費量の変動に対しては、バルク容器３の設置台数、又はバルク容器３の交換期間を短縮することで、容易に対応することができる。
【００２３】
サテライト基地４においてＬＮＧをガス化したものは各需要家９や生産設備１０に供給するが、この生産設備１０の一態様として、ＬＮＧを燃料として熱併給発電を行うコ・ジェネレーション・システム（ｃｏ−ｇｅｎｅｒａｔｉｏｎ  ｓｙｓｔｅｍ「熱併給発電システム」）１２がある。ＬＮＧのガスは、例えば脱硫器（図示していない）で脱硫し、このコ・ジェネレーションシステム１２の燃料として電力及び熱源として利用する。このコ・ジェネレーションシステム１２をサテライト基地４に付設することで、その地域におけるエネルギーの利用分野が一段と拡大する。
【００２４】
図３は中継基地を設けたＬＮＧ供給システムの実施の形態を示すブロック図である。
各サテライト基地４へは、出荷基地１から直接バルク容器３をトレーラー６で牽引搬送する必要はなく、バルク容器３を中継基地１３に搬送し、かつ中継基地１３に待機させことも可能である。例えば、出荷基地１に備えたＬＮＧタンク２のＬＮＧをバルク容器３に移し、このバルク容器３を中継基地１３に搬送し、かつ中継基地１３に待機させる。この中継基地１３からバルク容器３を各サテライト基地４へ搬送し、このバルク容器３をサテライト基地４に一時設置することも可能である。
【００２５】
このように、サテライト基地４が出荷基地１から遠隔の地にあるときは、ＬＮＧを充填したバルク容器３を待機させるＬＮＧの中継基地１３を設置することで、トレーラー６の走行距離を短縮して、バルク容器３を迅速にサテライト基地４へ搬送することができる。これにより、サテライト基地４に一時設置したバルク容器３の貯残量が極端に低くなり、その交換に緊急を要するときに迅速に対応することができる。または、サテライト基地４におけるガス消費量が極端に増加するなどの事態に容易に対応することができる。
【００２６】
なお、本発明は、サテライト基地３にＬＮＧを充填したバルク容器３を一時設置し、その交換を容易かつ迅速に補給することができるシステムであれば、上述した発明の実施の形態に限定されず、本発明の要旨を逸脱しない範囲で種々変更できることは勿論である。
【００２７】
【発明の効果】
本発明のバルク容器を用いたＬＮＧ供給システムは、出荷基地からＬＮＧをトレーラー型のバルク容器でサテライト基地へ搬送し、サテライト基地にこのバルク容器をトレーラーから切り離して一時設置して、貯蔵用のタンクとして機能させることで、従来は必要であったＬＮＧタンクの建設が不要になり、サテライト基地における建設費、運営費等の費用を大幅に軽減することができる。
特に、従来の設置タンク方式では、規定容量のＬＮＧのみを貯蔵できなかったが、本発明ではサテライト基地におけるガス消費量が極端に増加するような事態に対してはバルク容器の設置台数の増加又は交換時間の短縮等により容易に対応することができる。
【００２８】
また、従来のようにタンクローリー車からＬＮＧをタンクへ移し替える作業がなくなり、単にバルク容器とＬＮＧ気化器等の機器間の接続作業のみになるので、移し替えに要する時間を短縮することができると共に、ＬＮＧの供給停止という不具合を回避することができる。
【００２９】
更に、出荷基地とサテライト基地の中間に、ＬＮＧを充填したバルク容器を待機させる中継基地を設置することで、トレーラーの走行距離を短縮してバルク容器を迅速にサテライト基地へ搬送することにより、サテライト基地に一時設置されたバルク容器の貯残量が極端に低くなり、その交換に緊急を要するときに迅速に対応することができる、等の効果がある。
【図面の簡単な説明】
【図１】本発明のバルク容器を用いたＬＮＧ供給システムの実施の形態を示すブロック図である。
【図２】サテライト基地における系統図である。
【図３】中継基地を設けたＬＮＧ供給システムの実施の形態を示すブロック図である。
【図４】従来のサテライト基地に設けたＬＮＧタンクにＬＮＧを貯蔵する概略説明図である。
【図５】従来のＬＮＧ供給方法を示す概略ブロック図である。
【符号の説明】
１  出荷基地
２  ＬＮＧタンク（出荷基地）
３  バルク容器
４  サテライト基地
９  需要家
１０  生産設備
１１  ガス管
１２  コ・ジェネレーション・システム
１３  中継基地
【図１】
2005048789.tif 000003
【図２】
2005048789.tif 000004
【図３】
2005048789.tif 000005
【図４】
2005048789.tif 000006
【図５】
2005048789.tif 000007